(57)【要約】【課題】居留守を使うと、インタホンの子機２に落書きしたり、ドアスコープを破損させるなどの悪質な嫌がらせ行為がある。これに対する犯罪抑止性を向上させる。【解決手段】子機２には、訪問者等の住戸前人物を検知する人感知センサ２６と、住戸前人物の画像を撮像するビデオカメラ３０と、これにより得られた動画像または静止画像を表示する子モニタ３１と、マイク３２と、スピーカ３３と、呼びボタン２７と、テンキー部２５とが備えられ、親機１には、ビデオカメラ３０により出力された画像を表示する親モニタ１０と、マイク１１とスピーカ１２と、キーボード７と、画像及び音声データを記録する記録部８と、主制御部３とが備えられ、親機での予めの設定により、人感知センサ２６または呼びボタン２７の押下のいずれかにて、ビデオカメラ３０の撮像動作及び必要データの記録が開始され、子モニタ３１に住戸前人物の画像を表示する。【選択図】図１
2010016598.tif 000002
【特許請求の範囲】
【請求項１】
住戸の玄関外部に設けられたインタホン子機と、住戸内に設けられたインタホン親機とを備えた防犯装置であって、
インタホン子機には、
住戸前人物を検知する人体検知手段と、訪問者の画像を撮像する撮像手段と、この撮像手段により得られた動画像または静止画像を表示する子モニタと、音声入力手段と、音声出力手段と、呼びボタンと、テンキー部とが備えられ、
インタホン親機には、前記インタホン子機における撮像手段により出力された画像を表示する親モニタと、音声入力手段と、音声出力手段と、キーボードと、前記画像及び音声などの必要データを記録する記録手段と、主制御手段とが備えられ、
前記インタホン親機と前記インタホン子機とが有線若しくは無線通信手段より接続されており、
前記インタホン親機では、予めの設定により、前記人体検知手段による住戸前人物の検知若しくは前記呼びボタンの押下のいずれかにて、前記撮像手段の撮像動作及び前記記録手段への必要データの記録が開始されることを選択可能とし、前記主制御手段は、前記選択に応じて前記子モニタに前記訪問者の画像を表示するように制御し、前記インタホン親機におけるキーボード操作または所定時間経過により、前記撮像手段の撮像動作及び前記記録手段への記録動作が終了されるように制御することを特徴とする防犯装置。
【請求項２】
さらに、前記呼びボタンの押下により、前記テンキー部に対して所定の入力を要求する文字データを前記子モニタの表示させること及びその旨の音声データの出力のいずれか一方若しくは両方を実行することを特徴とする請求項１に記載の防犯装置。
【請求項３】
前記インタホン親機には、緊急押しボタンがさらに備えられ、この緊急押しボタンが押下されると、前記主制御手段は、前記インタホン子機における音声出力手段にて緊急事態発生の音声を出力するように制御することを特徴とする請求項１または２に記載の防犯装置。
【請求項４】
前記記録手段には、前記撮像された画像データ及び前記音声入力手段からの音声データとを含む必要データを一定期間記憶させた後、前記主制御手段は前記記録手段内の古いデータから順に消去するように制御することを特徴とする請求項１乃至３いずれかに記載の防犯装置。
【請求項５】
集合建物の各住戸毎に、前記インタホン親機とインタホン子機とを備え、前記集合建物用の管理コントローラは、前記各インタホン親機における主制御手段と通信回線網により接続され、緊急放送データを前記各インタホン親機及びインタホン子機における前記音声出力手段もしくは外部スピーカまたは親モニタ及び子モニタの両方若しくはいずれか一方にて再生可能としたことを特徴とする請求項１乃至４のいずれかに記載の防犯装置。
【請求項６】
前記各住戸毎の前記インタホン親機における前記記録手段に記録された必要データを前記管理コントローラに転送することを特徴とする請求項５に記載の防犯装置。
【請求項７】
前記緊急放送データが誤りであった場合には、前記管理コントローラは、前記各インタホン親機における主制御手段と通信回線網により接続され、緊急放送データが誤りであったことを前記各インタホン親機及びインタホン子機における前記音声出力手段もしくは外部スピーカまたは親モニタ及び子モニタの両方若しくはいずれか一方にて再生可能としたことを特徴とする請求項５または６に記載の防犯装置。
【請求項８】
前記集合建物の集合玄関部には、当該集合玄関部内の人物を検知する集合玄関用人検知手段と、前記人物を撮像する集合玄関用撮像手段と、この集合玄関用撮像手段で得られた人物の顔画像などの画像データを表示する集合玄関用モニタと、集合玄関用音声入力手段とをさらに備え、これらの手段で得られた集合玄関部データを前記管理コントローラに転送して一定期間保存させることを特徴とする請求項５乃至７のいずれかに記載の防犯装置。
【発明の詳細な説明】
【技術分野】
【０００１】
本願発明は、個別住宅やマンション、オフィスビル等のような集合建築物の各室（住戸）に取付られるインタホン親機とインタホン子機とからなる防犯装置の構成に関するものである。
【背景技術】
【０００２】
従来のインタホン親機とインタホン子機とからなる防犯システムの１つとして、特許文献１では、訪問者を検知する人体検知手段と、訪問者の静止画像を撮像する撮像手段と、呼びボタンとを備えたインタホン子機が玄関外や門柱などの門廻り設備に設けられ、この撮像手段による撮像画像を表示可能なモニタが備えられたインタホン親機が屋内に設けられ、上記親機と子機とを無線通信手段により接続する。そして、人体検知手段により訪問者を検知すると自動的に一定間隔で撮像手段により訪問者を撮像して親機に画像データを送信し、記憶すると共に訪問者が呼びボタンを押すと、自動撮像を中断するシステムが開示されている。
【０００３】
他方、特許文献２では、留守中に尋ねて来た訪問者を帰宅後或いは外出先から容易に確認するシステムとして、インタホン（子機）にはビデオカメラとマイクとスピーカと呼び出しボタンと制御部とを備え、屋内には親機としての端末装置には、前記ビデオカメラによる映像（訪問者の顔などの映像）を表示する液晶表示部と、マイクとスピーカと、キーボードと、画像及び音声データの記憶部と、モデムなどを備える。そして、インタホンと端末装置とをケーブルを介して接続されてデータの伝送が行なわれ、さらにモデムは電話回線にて外のセキュリティ会社のコンピュータに接続されている。訪問者がインタホンにおける呼び出しボタンの押下にて端末装置から予め指定された携帯電話に接続されて、ビデオカメラによる映像が携帯電話のモニタに表示して直接会話でき、且つ後に、記録で記録された画像データ及び音声データを再生して確認可能とするが、留守の場合には、セキュリティ会社のコンピュータに伝送し、保存する。その後予め定められた時刻にコンピュータから対応する端末装置の記録部にデータを伝送するので、被訪問者は帰宅後に再生して確認するというシステムであった。
【特許文献１】特開２００２−１５５２７８号公報（図１及び図４参照）。
【特許文献２】特開２００２−２９０５９１号公報（図１及び図２参照）。
【発明の開示】
【発明が解決しようとする課題】
【０００４】
しかしながら、特許文献１や２の構成では、居留守を使うと、部外者、例えば悪質な訪問販売者や勧誘セールスマンがインタホン子機の呼び出しボタンを何度も押すなどの行為に対して、インタホン親機や携帯端末がその都度呼び出されることになるから、大変煩わしいという問題があった。さらに、最近では、個別住宅や、集合住宅（マンション）などの住戸の玄関外に設けられた上記インタホンステムに対して、呼び出しボタンに細工して、インタホンが鳴りやまなくするとか、居留守を使うと、インタホン子機に落書きしたり、ドアスコープを破損させるなどの悪質ないたずら、嫌がらせ行為が増大している。
【０００５】
特許文献１では、インタホン子機に近づいた訪問者を人体検知手段により撮像記録し、特許文献２では、呼び出しボタンの押下にて訪問者を撮像記録するので、いたずら等の行為者を特定することは可能ではある。しかし、居留守を使った場合、上記のような行為者に直接会って、行為を中止させることには、躊躇することが多い。特に、居住者が女性だけ、または老齢者の場合、上記の悪質な訪問者に抗議することは、身の危険を感じ、または他の犯罪の発生を引き起こす原因となるという問題があった。
【０００６】
そこで、本願発明は、上記のよう従来技術の問題点を解消し、犯罪抑止性を向上させつつ、プライバシーの保護も確保できるようにした防犯装置を提供することを技術的課題とするものである。
【課題を解決するための手段】
【０００７】
この技術的課題を解決するため、請求項１の発明は、住戸の玄関外部に設けられたインタホン子機と、住戸内に設けられたインタホン親機とを備えた防犯装置であって、インタホン子機には、人物を検知する人体検知手段と、訪問者の画像を撮像する撮像手段と、この撮像手段により得られた動画像または静止画像を表示する子モニタと、音声入力手段と、音声出力手段と、呼びボタンと、テンキー部とが備えられ、インタホン親機には、前記インタホン子機における撮像手段により出力された画像を表示する親モニタと、音声入力手段と、音声出力手段と、キーボードと、前記画像及び音声などの必要データを記録する記録手段と、主制御手段とが備えられ、前記インタホン親機と前記インタホン子機とが有線若しくは無線通信手段より接続されており、前記インタホン親機では、予めの設定により、前記人体検知手段による住戸前人物の検知若しくは前記呼びボタンの押下のいずれかにて、前記撮像手段の撮像動作及び前記記録手段への必要データの記録が開始されることを選択可能とし、前記主制御手段は、前記選択に応じて前記子モニタに前記訪問者の画像を表示するように制御し、前記インタホン親機におけるキーボード操作または所定時間経過により、前記撮像手段の撮像動作及び前記記録手段への記録動作が終了されるように制御することを特徴とするものである。
【０００８】
請求項２に記載の発明は、請求項１に記載の防犯装置において、さらに、前記呼びボタンの押下により、前記テンキー部に対して所定の入力を要求する文字データを前記子モニタの表示させること及びその旨の音声データの出力のいずれか一方若しくは両方を実行するものである。
【０００９】
請求項３に記載の発明は、請求項１または２に記載の防犯装置において、前記インタホン親機には、緊急押しボタンがさらに備えられ、この緊急押しボタンが押下されると、前記主制御手段は、前記インタホン子機における音声出力手段にて緊急事態発生の音声を出力するように制御するものである。
【００１０】
請求項４に記載の発明は、請求項１乃至３いずれかに記載の防犯装置において、前記記録手段には、前記撮像された画像データ及び前記音声入力手段からの音声データとを含む必要データを一定期間記憶させた後、前記主制御手段は前記記録手段内の古いデータから順に消去するように制御するものである。
【００１１】
請求項５に記載の発明は、請求項１乃至４のいずれかに記載の防犯装置において、集合建物の各住戸毎に、前記インタホン親機とインタホン子機とを備え、前記集合建物用の管理コントローラは、前記各インタホン親機における主制御手段と通信回線網により接続され、緊急放送データを前記各インタホン親機及びインタホン子機における前記音声出力手段もしくは外部スピーカまたは親モニタ及び子モニタの両方若しくはいずれか一方にて再生可能としたものである。
【００１２】
請求項６に記載の発明は、請求項５に記載の防犯装置において、前記各住戸毎の前記インタホン親機における前記記録手段に記録された必要データを前記管理コントローラに転送するものである。
【００１３】
請求項７に記載の発明は、請求項５または６に記載の防犯装置において、前記緊急放送データが誤りであった場合には、前記管理コントローラは、前記各インタホン親機における主制御手段と通信回線網により接続され、緊急放送データが誤りであったことを前記各インタホン親機及びインタホン子機における前記音声出力手段もしくは外部スピーカまたは親モニタ及び子モニタの両方若しくはいずれか一方にて再生可能としたものである。
【００１４】
請求項８に記載の発明は、請求項５乃至７のいずれかに記載の防犯装置において、前記集合建物の集合玄関部には、当該集合玄関部内の人物を検知する集合玄関用人検知手段と、前記人物を撮像する集合玄関用撮像手段と、この集合玄関用撮像手段で得られた人物の顔画像などの画像データを表示する集合玄関用モニタと、集合玄関用音声入力手段とをさらに備え、これらの手段で得られた集合玄関部データを前記管理コントローラに転送して一定期間保存させるものである。
【発明の効果】
【００１５】
請求項１の発明によれば、インタホン子機にも、それに設けられた撮像手段による画像が表示可能な子モニタが設けられている。そして、インタホン親機の予めの設定により、撮像手段による撮像及び記録手段による前記撮像された画像及び音声などの必要データの記録開始のきっかけが、前記人体検知手段による訪問者などの住戸前人物の検知若しくは前記呼びボタンの押下のいずれか一方若しくは両方の態様であることを、インタホン親機による設定で予め選択できる。ここで両方の態様とは、人体検知手段による訪問者等の前記住戸前人物検知のいかんに拘らず、呼びボタンの押下にて優先的に撮像と記録とが開始される態様である。そして、これら３つの選択に応じて前記子モニタに前記住戸前人物の画像を表示するように前記主制御手段は制御している。従って、インタホン子機や、玄関外に対するいたずらの発生が多い、またはいたずらが危惧されるときには、予めの設定により、前記人体検知手段による住戸前人物の検知により撮像手段により撮像を開始するととも、子モニタに、住戸前人物の画像を表示するから、室内の人（例えば、女性や高齢者の人）が訪問者と直接会話したり、問い詰めたりすることなく、悪意のある訪問者等の前記住戸前人物に対して自己の顔（画像）が子モニタに映り、且つ記録手段に記録されていることを強く意識（認識）させることができる。その結果、それ以後にいたずらしたり、器物を破損するなどの不法行為や犯罪を効果的に抑止できるという顕著な効果を奏する。
【００１６】
他方、呼びボタンの押下により、撮像及び記録開始のきっかけを作るようしても良く、万一、呼びボタンを押下した人が善意の訪問者（例えば知人や家族）であることがインタホン親機の親モニタで確認できれば、前記インタホン親機におけるキーボード操作により、前記撮像手段の撮像動作及び記録が終了されるように制御すれば良い。呼びボタンを押下した人が善意の訪問者を装っているような場合（悪質な訪問販売者等の部外者のような場合）には、所定時間経過するまで撮像動作及び記録が終了しないようにして、防犯性を向上させることができる。
【００１７】
請求項２の発明によれば、さらに、前記呼びボタンの押下により前記テンキー部に対して所定の入力を要求する文字データを前記子モニタの表示させたり、テンキー部に対して所定の入力を要求する旨の音声データの出力のいずれか一方若しくは両方を実行するものである。
【００１８】
このように構成すれば、執念深い訪問販売者等が子モニタへの自己の画像の表示にも拘らず、呼びボタンを押下して、室内の人を呼び出そうとしているときには、前記子モニタの表示画面の一部または全部に、インタホン子機にあるテンキー部に対して所定の入力（暗証番号などの入力）を要求する文字データを表示させたり、テンキー部に対して所定の入力を要求する旨の音声データの出力のいずれか一方若しくは両方を実行する。これにより、入力されたデータ（暗証番号）が異なれば、『入力データが違います。再度入力願います』などの文字表示を子モニタに出すなどして、室内の人と訪問者とが直接会話する機会を与えないようにして防犯性能を向上させるのである。
【００１９】
請求項３に記載の発明によれば、前記インタホン親機には、緊急押しボタンがさらに備えられ、この緊急押しボタンが押下されると、前記主制御手段は、前記インタホン子機における音声出力手段にて緊急事態発生の音声を出力するように制御するものである。さらに、執念深く呼びボタンを押下したり、テンキー部にでたらめの入力動作を繰り返している場合には、室内の人は、インタホン親機に備えられた緊急押しボタンを押下し、インタホン子機における音声出力手段にて緊急事態発生の音声を所定の大きい出力で発生させると、近所の人にも迷惑行為が進行中であることを知らせることができる。その結果、近隣の人の協力が得られ易くなって、防犯性がすこぶる向上するのである。
【００２０】
請求項４に記載の発明によれば、前記記録手段には、前記撮像された画像データ及び前記音声入力手段からの音声データとを含む必要データを一定期間記憶させた後、前記主制御手段は前記記録手段内の古いデータから順に消去するように制御するものである。これにより、記録手段の記録容量を無闇に大きくすることなく、最近のデータを一定期間記憶できるという効果を奏する。必要データには、上記画像データ及び音声データの他、これらのデータが採取された年月日時刻を含む。
【００２１】
請求項５に記載の発明は、請求項１乃至４のいずれかに記載の防犯装置において、集合建物の各住戸毎に、前記インタホン親機とインタホン子機とを備え、前記集合建物用の管理コントローラは、前記各インタホン親機における主制御手段と通信回線網により接続され、緊急放送データを前記各インタホン親機及びインタホン子機における前記音声出力手段もしくは外部スピーカまたは親モニタ及び子モニタの両方若しくはいずれか一方にて再生可能としたものである。
【００２２】
上記請求項１乃至４に記載のような構成のインタホン親機・子機からなる防犯装置をマンションなどの集合建物に適用し、管理コントローラによって一括管理することで、一人住まいの女性や高齢者に対する犯罪抑止力の向上と防犯性の向上とが図れる。さらに、管理コントローラを使って緊急放送データを前記各室のインタホン親機及びインタホン子機における前記音声出力手段もしくはもしくは外部スピーカまたは親モニタと子モニタとにて再生することで、地震、火事などの天災、事故及び現在進行中などの警報のデータを集合建物に在住の人全員に迅速に報知することができるという顕著な効果を奏する。
【００２３】
ここで、緊急放送データとは、上記地震、火事などの速報の他、迷惑行為が進行中である住戸での親機のキーボード内の緊急押しボタンの押下にて、その住戸がどこであるか、例えば、「○階のＸＸ号室で、迷惑行為発生中」等の具体的な内容である。
【００２４】
請求項６に記載の発明は、請求項５に記載の防犯装置において、前記各住戸毎の前記インタホン親機における前記記録手段に記録された必要データを前記管理コントローラに転送するものである。従って、万一各住戸の前記インタホン親機における前記記録手段が必要データの記録後に壊され、若しくは故障してデータの再生不能の事態が発生しても、管理コントローラの記録部に必要データが残るので、後の犯罪証明などに確実に役立てることができる。
【００２５】
請求項７に記載の発明は、請求項５または６に記載の防犯装置において、前記緊急放送データが誤りであった場合には、前記管理コントローラは、前記各インタホン親機における主制御手段と通信回線網により接続され、緊急放送データが誤りであったことを前記各インタホン親機及びインタホン子機における前記音声出力手段もしくは外部スピーカまたは親モニタ及び子モニタの両方若しくはいずれか一方にて再生可能としたものである。
【００２６】
火災報知機の誤作動やインタホン親機による緊急ボタンの押し間違いなど、緊急放送の内容が誤りであった場合、前記管理コントローラの管理や集合住宅の警備を請け負っている警備会社が点検して、正誤を確認した後、前記管理コントローラを介して集合住宅の全住戸、全館に、「○月ｘ日Ｙ時ｚ分ごろの、ｘｘｘという内容の緊急放送は誤りでした。」という文言の文字データを親子両モニタに表示したり、スピーカを介して音声放送を実行すれば、マンションの住人に、長い間不安な状態に放置しておくことが防止できるという効果を奏する。
【００２７】
請求項８に記載の発明は、請求項５乃至７のいずれかに記載の防犯装置において、前記集合建物の集合玄関部には、当該集合玄関部内の人物を検知する集合玄関用人検知手段と、前記人物を撮像する集合玄関用撮像手段と、この集合玄関用撮像手段で得られた人物の顔画像などの画像データを表示する集合玄関用モニタと、集合玄関用音声入力手段とをさらに備え、これらの手段で得られた集合玄関部データを前記管理コントローラに転送して一定期間保存させるものである。
【００２８】
このように構成すれば、人が集合建物の集合玄関部に入った瞬間から、集合玄関用撮像手段で撮像され、その画像が集合玄関用モニタに表示されるので、不審者や入館者に監視されていることを認識させて防犯性を向上できる。しかも、撮像手段や音声入力手段で得られた集合玄関部データを前記管理コントローラに転送して一定期間保存しておくので、後の犯罪などの検証に役立てることが容易になる。
【発明を実施するための最良の形態】
【００２９】
以下に、本願発明を具体化した実施形態を図面（図１、図２）に基づいて説明する。図１は第１実施形態における個別住戸における防犯装置の概略図、図２は第２実施形態における集合建築物用の防犯装置の概略図である。
【００３０】
（１）．第１実施形態
まず、図１を参照しながら、個別住戸における防犯装置（第１実施形態）について説明する。
【００３１】
第１実施形態において、図示しない住戸の室内にインタホン親機１（以下単に親機という）が配置され、玄関外の例えば、門柱若しくは玄関扉の脇の外壁等にインタホン子機２（以下単に子機という）が配置されている。
【００３２】
図１に示すように、子機２における子制御部２０には、画像入力部２１、表示制御部２２、音声入力部２３、音声出力部２４、テンキー部２５、人感知センサ２６、呼びボタン２７、閃光ライト２８、及びＬＡＮアダプタ２９が各々接続されている。画像入力部２１には撮像手段の一例としてのビデオカメラ３０が接続されている。なお、ビデオカメラ３０には、音を拾うためのコンデンサマイクなどのマイクが付属されている。表示制御部２２には、ビデオカメラ３０にて撮像された静止画像または動画像を表示（再生表示も含む）するための子モニタ３１（例えば液晶パネル）が接続されている。
【００３３】
音声入力部２３には音声入力手段としての、例えば、通話用のマイク３２が接続され、音声出力部２４には音声出力手段としての通話用のスピーカ３３が接続されている。子制御部２０は、ワンチップマイクロコンピュータなどにて構成されている。テンキー部２５は住居者が予め設定した暗証番号（例えば、４〜８桁の数字からなる）を入力するためのものである。人感知センサ２６は、子機２に近づいた訪問者や人感知センサ２６で感知した通行人等の住戸前人物（訪問者を含む）を検知するためのものであって、例えば、人の体温を検知する赤外線センサや、子機２に近づく等した人の動きを検知する光反射式光電センサなどがある。呼びボタン２７は、訪問者が押下することにより、その信号が親機１のスピーカ１２に呼び出し音を出力させるためのものである。閃光ライト２８は、親機１のキーボード７などの操作ボタンにより、閃光を発生させる。
【００３４】
親機１における主制御部３には、表示制御部４、音声入力部５、音声出力部６、キーボード７、ハードディスクなどの記録部８（請求項にいう記録手段に相当）及びＬＡＮアダプタ９が各々接続されている。表示制御部４には、上記ビデオカメラ３０にて撮像された静止画像または動画像を表示（再生表示も含む）するための液晶パネル等の親モニタ１０が接続されている。音声入力部５には音声入力手段としての、例えば、通話用のマイク１１が接続され、音声出力部６には音声出力手段としての通話用のスピーカ１２が接続されている。主制御部３はパーソナルコンピュータなどの制御部である。記録部８には、本発明の防犯装置の制御を司るための種々のプログラムソフトの記録部、上記暗証番号の記録部、ビデオカメラ３０で撮像プログラムソフト及び撮像された画像及び音のデータの記録部、撮像年月日、時刻などの防犯または犯罪立証に役立つデータ（請求項にいう必要データ）の記録部、親機１と子機２との通信のための制御プログラムの記録部などに区分けされている。
【００３５】
親機１と子機２とは、ＬＡＮアダプタ２９と９とがＬＡＮケーブル３４にて接続され、親機１の主制御部３により子機２の子制御部２０も制御される。
【００３６】
［第１実施形態による機能・作用］
次に、第１実施形態による防犯、犯罪抑止力の機能・作用について説明する。犯罪抑止力のために、子機１における撮像手段であるビデオカメラ３０で撮像された訪問者の少なくとも顔画像を子モニタ３１に表示させるため、予め、親機１でのキーボード７操作にて、(a) 子機１のビデオカメラ３０に対して住戸前人物（訪問者を含む）がある程度接近したとき、人感知センサ２６にて検知し、その検知信号により、ビデオカメラ３０で撮像開始して記録部８に画像データ及び音声データを記録するか、若しくは (b)子機２の呼びボタン２７を押下したとき、その信号によりビデオカメラ３０で撮像開始して記録部８に画像データ及び音声データを記録するか、のいずれか一方若しくは(c) 両方の態様を選択する。ここで両方の態様とは、人感知センサ２６による訪問者の検知のいかんに拘らず、呼びボタン２７の押下にて優先的に撮像と記録とが開始される態様である。従って、人感知センサ２６にて訪問者（住戸前人物）を検知する前に呼びボタン２７が押下された時に撮像と記録とが開始されるので、万一人感知センサ２６が故障したり、検知感度が不良となった状態でも、訪問者の画像データ及び音声データの保存は万全である。
【００３７】
そして、これら３つの選択に応じて子モニタ３１に前記訪問者の画像を表示するように主制御部３は制御している。従って、上記３つのいずれの態様であっても、上記撮像された訪問者の顔画像は子モニタ３１にて表示されるので、犯罪抑止力が強くなる。
【００３８】
即ち、子機２や、玄関外に対するいたずらの発生が多い、またはいたずらが危惧されるときには、予めの設定により、人感知センサ２６による訪問者の検知によりビデオカメラ３０により撮像を開始するととも、子モニタ３１に、訪問者の画像を表示することができるから、室内の人（例えば、女性や高齢者の人）が訪問者と直接会話したり、問い詰めたりすることなく、悪意のある訪問者に対して自己の顔（画像）が子モニタ３１に映り、且つ記録部８に記録されていることを強く意識（認識）させることができる。その結果、それ以後にいたずらしたり、器物を破損するなどの不法行為や犯罪を効果的に抑止できるのである。
【００３９】
他方、呼びボタン２７の押下により、撮像及び記録開始のきっかけを作るようしても良い。万一、呼びボタン２７を押下した人が善意の訪問者（例えば知人や家族）であることが親機１の親モニタ１０で確認できれば、親機１におけるキーボード操作により、ビデオカメラ３０の撮像動作及び記録が終了されるように制御すれば良い。呼びボタン２７を押下した人が善意の訪問者を装っているような場合（悪質な訪問販売者等の部外者のような場合）には、所定時間経過するまで撮像動作及び記録が終了しないようにして、防犯性を向上させることができる。
【００４０】
さらに、呼びボタン２７の押下によりテンキー部２５に対して所定の入力を要求する文字データを子モニタ３１の表示させるように構成することができる。即ち、執念深い訪問販売者等が子モニタ３１への自己の画像の表示にも拘らず、呼びボタン２７を押下して、室内の人を呼び出そうとしているときには、子モニタ３１の表示画面の一部または全部に、子機２にあるテンキー部２５に対して所定の入力（暗証番号などの入力）を要求する文字データを表示させたり、子モニタ３１のスピーカ３３に音声にて上記の事項を要求する音声を出力させることができる。これにより、入力されたデータ（暗証番号）が異なれば、『入力データが違います。再度入力願います』などの文字表示を子モニタ３１に出すなどして、室内の人と訪問者とが直接会話する機会を与えないようにして防犯性能を向上させるのである。
【００４１】
また、親機１には、緊急押しボタン（キーボード７の一つのキーを緊急押しボタンに対応させて良い）がさらに備えられ、この緊急押しボタンが押下されると、主制御部３は、子機２におけるスピーカ３３にて緊急事態発生の音声を出力するように制御することができる。このように構成すると、さらに、執念深く呼びボタン２７を押下したり、テンキー部２５にでたらめの入力動作を繰り返している場合には、室内の人は、親機１に備えられた上記緊急押しボタンを押下し、子機２におけるスピーカ３３にて緊急事態発生の音声を所定の大きい出力で発生させると、近所の人にも迷惑行為が進行中であることを知らせることができる。その結果、近隣の人の協力が得られ易くなって、防犯性がすこぶる向上するのである。
【００４２】
なお、ビデオカメラ３０の撮像画像を親モニタ１０に表示するときに、人感知センサ２６による場合と、呼びボタン２７による場合とで、親機１のスピーカ１２で発生させる放置音の音色を複数種類に変更させたり、無音状態にするなど、親機１のキーボード７などによる指令の選択が可能である。
【００４３】
さらに、記録部８には、ビデオカメラ３０にて撮像された画像データ及びマイク３２等による音声データとを一定期間記憶させた後、主制御部３は記録部８内の古いデータから順に消去するように制御するものである。これにより、記録部８の記録容量を無闇に大きくすることなく、最近のデータを一定期間記憶（保存）できるという効果を奏する。
【００４４】
［防犯装置の第２実施形態］
この第２実施形態は、上記の構成の親機１′と子機２′とを、マンションなどの集合建物３５に適用したものである。
【００４５】
即ち、図２に示すように、集合建物３５の各住戸３６毎に、親機１′と子機２′とを備える。集合建物用の管理コントローラ３７は、各住戸３６の親機１′と通信回線網３８により接続されている。
【００４６】
親機１′及び子機２′の基本的構成及び機能・作用は、第１実施形態（図１）と同じである。したがって、同じ構成については、同じ符号を附して、詳細な説明は省略する。管理コントローラ３７と親機１′とは、それぞれに備えられたＰＬＣアダプタ４０（４１）を介して通信回線網３８に接続されている。この実施形態での通信回線網３８は、いわゆる高速電力線通信回線（Power Line Communications)であり、電力配線に情報信号を乗せて送る通信技術を採用したものである。なお、管理コントローラ３７を集合住宅の建物から遠い管理部に設置して、インターネット回線網（通信回線網）を介して接続しても良い。
【００４７】
従って、第１実施形態において述べた機能・作用により、マンションなどの集合建物における各住戸での犯罪抑止力が高まる。また、管理コントローラ３７を介して、１つの住戸３６で発生している事態を即刻、マンションの全館内に通知すれば、集合建物全体としても防犯性能が向上する。さらに、各住戸３６の子機２′におけるビデオカメラ３０で撮像された訪問者等の住戸前人物の顔画像や音声データも、その住戸３６の住人が希望すれば、管理コントローラ３７内の記録部（ハードディスクなど）に一定期間保存させることができる。
【００４８】
また、最近、放送局でサービスが開始された地震、津波などの災害時における「緊急警報放送」を、マンションの各住戸３６内及び全館に報知する構成を採用する。このため、図示しないが「緊急警報放送」対応機能を備えた受信機を、管理コントローラ３７に接続しておく。そして、「緊急警報放送」が開始されると、その緊急放送データを各住戸３６ごとの親機１′及び子機２′におけるスピーカ１２、３２もしくは親モニタ１０及び子モニタ３１の両方またはいずれか一方にて再生可能とすることで、各住戸３６に上記「緊急警報放送」用の受信機を備える必要がなくなり、しかも、親機１′及び子機２′は通常、待機状態として電源がＯＮされているので、上記「緊急警報放送」を確実に各住戸内及び子モニタ３１とそのスピーカ３３にて、廊下などに設けられた外部スピーカにて室外の人にも緊急放送データを報知させることができるのである。
【００４９】
なお、緊急放送データとは、上記地震、火事などの速報の他、迷惑行為が進行中である住戸３６での親機のキーボード内の緊急押しボタンの押下にて、その住戸３６がどこであるか、例えば、「○階のＸＸ号室で、迷惑行為発生中」等の具体的な内容である。
【００５０】
各住戸３６毎の親機１′における記録部８に記録された必要データを管理コントローラ３７の記録部に転送するものである。従って、万一各住戸の親機１′における記録部８が必要データの記録後に壊され、若しくは故障してデータの再生不能の事態が発生しても、管理コントローラ３７の記録部に必要データが残るので、後の犯罪証明などに確実に役立てることができる。
【００５１】
さらに、前記緊急放送データが誤りであった場合には、管理コントローラ３７は、各親機１′における主制御手段と通信回線網により接続され、緊急放送データが誤りであったことを各親機１′及び子機２′におけるスピーカ１２、３３若しくは外部スピーカまたは親モニタ及び子モニタの両方若しくはいずれか一方にて再生可能としたものである。
【００５２】
火災報知機の誤作動やインタホン親機による緊急ボタンの押し間違いなど、緊急放送の内容が誤りであった場合、管理コントローラ３７の管理や集合住宅の警備を請け負っている警備会社が点検して、正誤を確認した後、管理コントローラ３７を介して集合住宅の全住戸、全館に、「○月ｘ日Ｙ時ｚ分ごろの、ｘｘｘという内容の緊急放送は誤りでした。」という文言の文字データを親子両モニタ１０、３１に表示したり、スピーカを介して音声放送を実行すれば、マンションの住人に、長い間不安な状態に放置しておくことが防止できるという効果を奏する。
【００５３】
集合建物の集合玄関部４２には、当該集合玄関部４２内の人物を検知する集合玄関用人検知手段である人感知センサ４３と、前記人物を撮像する集合玄関用撮像手段である集合玄関用カメラ４４と、この集合玄関用カメラ４４で得られた人物の顔画像などの画像データを表示する集合玄関用モニタ４５と、集合玄関用音声入力手段としてのマイク４６と、これらを制御する制御部４７とをさらに備え、これらの手段で得られた集合玄関部データを管理コントローラ３７の記録部に転送して一定期間保存させるものである。
【００５４】
このように構成すれば、人が集合建物の集合玄関部４２に入った瞬間から、集合玄関用カメラ４４で撮像され、その画像が集合玄関用モニタ４５に表示されるので、不審者や入館者に監視されていることを認識させて防犯性を向上できる。しかも、集合玄関用カメラ４４やマイク４６で得られた集合玄関部データを管理コントローラ３７に転送して一定期間保存しておくので、後の犯罪などの検証に役立てることが容易になる。
【００５５】
なお、集合建築物用セキュリティシステムとして、図示しないが、共用玄関の外側に配置された集合インタホン及びテンキー方式の進入用キー入力装置と、マンションの各住戸３６に対応したインタホン親機１若しくは通信端末としての電話機と、集合インタホン及び進入用キー入力装置が有線又は無線にて接続されたコントロール装置としての管理コントローラ３７と、管理コントローラ３７からの指令にて共用玄関に配置された開閉扉を一時的に開閉する自動開閉装置とを備えていても良い。
【００５６】
その他、各部の構成は図示の実施形態に限定されるものではなく、本願発明の趣旨を逸脱しない範囲で種々変更が可能である。
【図面の簡単な説明】
【００５７】
【図１】第１実施形態における防犯装置の概略図である。
【図２】第２実施形態における集合建築物用防犯装置の概略図である。
【符号の説明】
【００５８】
１、１′    インタホン親機としての親機
２、２′    インタホン子機としての子機
３    主制御部
７    キーボード
８    記録部
９、２９    ＬＡＮアダプタ
１０    親モニタ
１１、３２、４６    マイク
１２、３３    スピーカ
２５          テンキー部                                                        ２７      呼びボタン
３１          子モニタ
３７          管理コントローラ
【図１】
2010016598.tif 000003
【図２】
2010016598.tif 000004